(57)【要約】【課題】多数の光ファイバを用いた複雑な光配線を、容易に、かつ高い信頼性をもって構築することができる中継用光接続ユニットを提供する。【解決手段】複数の一方側光コネクタ１と、複数の他方側光コネクタ２と、他方側光コネクタ２を一括して保持する可動保持体５と、一方側光コネクタ１と他方側光コネクタ２を中継する中継用光ファイバ４と、これらが設けられた筐体と、を備えた中継用光接続ユニット。他方側光コネクタ２は、受け側光コネクタ５２に挿抜可能に接続できる。可動保持体５は、他方側光コネクタ２を一括して保持したまま受け側光コネクタ５２に接近および離間する方向に移動可能である。可動保持体５は、相手側ユニット５１に対して位置決めを行う可動保持体位置決め部５０を有する。可動保持体位置決め部５０は、可動保持体５を位置決めして、他方側光コネクタ２を、受け側光コネクタ５２に嵌合可能な位置に配置する。【選択図】図３
2015060126.tif 000002
【特許請求の範囲】
【請求項１】
複数の一方側光線路を複数の他方側光線路に接続する中継用光接続ユニットであって、
複数の一方側光線路がそれぞれ接続される複数の一方側光コネクタと、
複数の他方側光線路がそれぞれ接続される複数の他方側光コネクタと、
前記複数の他方側光コネクタを一括して保持する可動保持体と、
前記複数の一方側光コネクタのいずれか１つを一方の端末に、前記複数の他方側光コネクタのいずれか１つを他方の端末に、それぞれ設けた複数の中継用光ファイバと、
前記複数の一方側光コネクタ、前記複数の他方側光コネクタ、前記可動保持体、および前記複数の中継用光ファイバが設けられた筐体と、を備え、
前記複数の他方側光コネクタのそれぞれは、前記複数の他方側光線路の端末にそれぞれ設けられた複数の受け側光コネクタのそれぞれに挿抜可能に接続され、
前記可動保持体は、前記複数の他方側光コネクタを一括して保持したまま前記複数の受け側光コネクタに接近および離間する方向に移動可能であって、前記受け側光コネクタに挿抜する方向に移動可能であり、
前記可動保持体は、前記複数の受け側光コネクタが設けられた相手側ユニットに対して位置決めを行う可動保持体位置決め部を有し、
前記可動保持体位置決め部により前記可動保持体を位置決めして、前記複数の他方側光コネクタのそれぞれを、対応する受け側光コネクタに嵌合可能な位置に配置する中継用光接続ユニット。
【請求項２】
前記筐体は、前記複数の受け側光コネクタが設けられた前記相手側ユニットに対して位置決めを行う筐体位置決め部を有し、
前記筐体位置決め部により前記筐体を位置決めして、前記可動保持体をその可動保持体位置決め部により位置決め可能な位置に配置する請求項１に記載の中継用光接続ユニット。
【請求項３】
前記複数の他方側光コネクタのそれぞれは、その光コネクタ本体に設けた操作体への操作により、受け側光コネクタへの挿抜方向に移動可能であり、
前記可動保持体位置決め部により前記可動保持体を位置決めした状態で、前記操作体を操作することにより、前記複数の他方側光コネクタのそれぞれを、対応する受け側光コネクタに嵌合させる請求項１または２に記載の中継用光接続ユニット。
【請求項４】
前記複数の一方側光コネクタと前記複数の他方側光コネクタとは、いずれの組み合わせにおいてもそれらの挿抜方向からみてその設置位置が異なっている請求項１〜３のうちいずれか１項に記載の中継用光接続ユニット。
【請求項５】
前記複数の他方側光コネクタのそれぞれは、挿抜方向のうち受け側光コネクタから離れる方向に付勢されており、対応する受け側光コネクタに嵌合せず且つ前記操作体を操作されない状態で、前記筐体外面から突出しない請求項３に記載の中継用光接続ユニット。
【請求項６】
前記複数の他方側光コネクタは、互いに独立に前記他方側光線路の受け側光コネクタに対して移動可能である請求項１〜５のうちいずれか１項に記載の中継用光接続ユニット。
【請求項７】
前記一方側光コネクタは、前記筐体に固定されており、前記一方側光線路の端末に設けられた光コネクタプラグが挿抜される受け側光コネクタである請求項１〜６のうちいずれか１項に記載の中継用光接続ユニット。
【発明の詳細な説明】
【技術分野】
【０００１】
本発明は、光線路同士を中継接続する中継用光接続ユニットに関する。
【背景技術】
【０００２】
近年、高速かつ大容量のデータ伝送技術に対する要求が高まってきており、これを実現する技術として、光ファイバを用いた光伝送技術が注目されている。
演算装置等では多数の光ファイバを用いた複雑な配線が必要となる。このような光配線を構築するには、中継接続用のモジュールが用いられることがある（特許文献１等を参照）。
【先行技術文献】
【特許文献】
【０００３】
【特許文献１】特表２００５−５００５６５号公報
【発明の概要】
【発明が解決しようとする課題】
【０００４】
しかしながら、前記演算装置等では、多数の光ファイバを用いた複雑な配線が必要となることから、中継接続用のモジュールを用いても、光配線の構築作業に手間がかかっていた。また、中継接続の信頼性を高めることも求められていた。
本発明は、多数の光ファイバを用いた複雑な光配線を、容易に、かつ高い信頼性をもって構築することができる中継用光接続ユニットを提供することを課題とする。
【課題を解決するための手段】
【０００５】
本発明は、複数の一方側光線路を複数の他方側光線路に接続する中継用光接続ユニットであって、複数の一方側光線路がそれぞれ接続される複数の一方側光コネクタと、複数の他方側光線路がそれぞれ接続される複数の他方側光コネクタと、前記複数の他方側光コネクタを一括して保持する可動保持体と、前記複数の一方側光コネクタのいずれか１つを一方の端末に、前記複数の他方側光コネクタのいずれか１つを他方の端末に、それぞれ設けた複数の中継用光ファイバと、前記複数の一方側光コネクタ、前記複数の他方側光コネクタ、前記可動保持体、および前記複数の中継用光ファイバが設けられた筐体と、を備え、前記複数の他方側光コネクタのそれぞれは、前記複数の他方側光線路の端末にそれぞれ設けられた複数の受け側光コネクタのそれぞれに挿抜可能に接続され、前記可動保持体は、前記複数の他方側光コネクタを一括して保持したまま前記複数の受け側光コネクタに接近および離間する方向に移動可能であって、前記受け側光コネクタに挿抜する方向に移動可能であり、前記可動保持体は、前記複数の受け側光コネクタが設けられた相手側ユニットに対して位置決めを行う可動保持体位置決め部を有し、前記可動保持体位置決め部により前記可動保持体を位置決めして、前記複数の他方側光コネクタのそれぞれを、対応する受け側光コネクタに嵌合可能な位置に配置する中継用光接続ユニットを提供する。
前記筐体は、前記複数の受け側光コネクタが設けられた前記相手側ユニットに対して位置決めを行う筐体位置決め部を有し、前記筐体位置決め部により前記筐体を位置決めして、前記可動保持体をその可動保持体位置決め部により位置決め可能な位置に配置することが好ましい。
前記複数の他方側光コネクタのそれぞれは、その光コネクタ本体に設けた操作体への操作により、受け側光コネクタへの挿抜方向に移動可能であり、前記可動保持体位置決め部により前記可動保持体を位置決めした状態で、前記操作体を操作することにより、前記複数の他方側光コネクタのそれぞれを、対応する受け側光コネクタに嵌合させることが好ましい。
前記複数の一方側光コネクタと前記複数の他方側光コネクタとは、いずれの組み合わせにおいてもそれらの挿抜方向からみてその設置位置が異なっていることが好ましい。
前記複数の他方側光コネクタのそれぞれは、挿抜方向のうち受け側光コネクタから離れる方向に付勢されており、対応する受け側光コネクタに嵌合せず且つ前記操作体を操作されない状態で、前記筐体外面から突出しないことが好ましい。
前記複数の他方側光コネクタは、互いに独立に前記他方側光線路の受け側光コネクタに対して移動可能であることが好ましい。
前記一方側光コネクタは、前記筐体に固定されており、前記一方側光線路の端末に設けられた光コネクタプラグが挿抜される受け側光コネクタであることが好ましい。
【発明の効果】
【０００６】
本発明によれば、筐体内において、中継用光ファイバによって一方側光コネクタと他方側光コネクタとが接続された構造を有する。
このため、予め、用途に応じて光コネクタが互いに接続された中継用光接続ユニットを用意しておけば、複雑な光配線が要求される場合でも、中継用光接続ユニットを相手側ユニットに設置するという容易な操作で、その用途に最適な光配線を構築できる。よって、多数の光ファイバを用いた複雑な光配線を、容易かつ確実に構築することができる。
また、本発明では、複数の他方側光コネクタを一括して保持する可動保持体を用いることから、複数の他方側光コネクタを簡単な操作で一括して受け側光コネクタに対して挿入および抜出することができる。
【０００７】
本発明の中継用光接続ユニットは、設置にあたって、４段階の位置決めを経ることによって、他方側光コネクタを受け側光コネクタに対して確実かつ正確に嵌合させることができる。
すなわち、第１段階で嵌合凹部と嵌合凸部とを嵌合させて相手側ユニット上での筐体の位置を大まかに定めた後、第２段階で可動保持体位置決め部により可動保持体の位置を定め、第３段階で受け側光コネクタに対する他方側光コネクタの位置を規定し、次いで、第４段階で他方側光コネクタを操作することでその位置を完全に確定するという過程を経て、他方側光コネクタを受け側光コネクタに導くことができる。
これによって、他方側光コネクタの位置にずれが生じた場合でもこのずれを確実に修正し、他方側光コネクタを正しい位置に導き、受け側光コネクタに対して確実かつ正確に嵌合させることができる。
従って、光配線を高い信頼性をもって構築できる。
【図面の簡単な説明】
【０００８】
【図１】本発明の一実施形態の中継用光接続ユニットを模式的に示す図であり、（ａ）は平面図であり、（ｂ）は側面図である。
【図２】中継用光接続ユニットを示す図であり、（ａ）は上面側から見た斜視図であり、（ｂ）は下面側から見た斜視図である。
【図３】中継用光接続ユニットの内部構造を示す図であり、（ａ）は上面側から見た斜視図であり、（ｂ）は（ａ）とは異なる方向から見た斜視図である。
【図４】可動保持体および他方側光コネクタを示す断面図である。
【図５】他方側光コネクタの一例を示す平面図である。
【図６】前図の他方側光コネクタの分解斜視図である。
【図７】他方側光コネクタが受け側光コネクタに嵌合する過程の一例を示す工程図である。
【図８】前図に続いて、他方側光コネクタが受け側光コネクタに嵌合する過程を示す工程図である。
【図９】他方側光コネクタが受け側光コネクタに嵌合する過程を示す断面図である。
【図１０】他方側光コネクタが受け側光コネクタに嵌合する過程の他の例を示す工程図である。
【図１１】他方側光コネクタの他の例を示す平面図である。
【図１２】前図の光コネクタの分解斜視図である。
【発明を実施するための形態】
【０００９】
以下、好適な実施の形態に基づいて本発明を説明する。まず、図１（ａ）および図１（ｂ）を参照して本発明の一実施形態の概要を説明し、その後、図２以降を参照して詳細な説明を加える。
【００１０】
図１（ａ）および図１（ｂ）に示すように、本発明の一実施形態である中継用光接続ユニット１０は、一方側光コネクタ１と、他方側光コネクタ２と、複数の他方側光コネクタ２を一括して保持する可動保持体５と、一方側光コネクタ１と他方側光コネクタ２とを光接続する中継用光ファイバ４と、これらが設けられた筐体３と、を有する。
以下、他方側光コネクタ２が相手側基板５１（相手側ユニット）の受け側光コネクタ５２に近づく方向（図１（ｂ）の下方）を前方といい、その反対方向（図１（ｂ）の上方）を後方ということがある。前方は挿入方向であり、後方は抜出方向である。挿入および抜出方向は「挿抜方向」と総称することがある。
【００１１】
他方側光コネクタ２は、光コネクタプラグである光コネクタ本体１１と、光コネクタ本体１１から延出する操作体１２とを有する。
他方側光コネクタ２は、前後方向（図１（ｂ）の上下方向）に移動可能である。光コネクタ本体１１は、後退時には筐体３内に収容でき、前進時には筐体３の前面３ａから前方に突出して受け側光コネクタ５２に挿抜可能に接続できる。
操作体１２は、筐体３の後面３ｂ（一方の面）から外方に突出している。
図１（ａ）に示すように、この例では他方側光コネクタ２の数は２であり、これらをそれぞれ他方側光コネクタ２Ａ、他方側光コネクタ２Ｂということがある。
【００１２】
可動保持体５は、複数の他方側光コネクタ２を一括して保持したまま、受け側光コネクタ５２に接近および離間する方向（図１（ｂ）の上下方向）に移動可能である。図示例では可動保持体５は、２つの他方側光コネクタ２の両方を保持する。
【００１３】
一方側光コネクタ１は、筐体３の後面３ｂ側に設けられており、一方側光線路２１の端末に設けられた光コネクタ（図示略）が接続される。
一方側光コネクタ１は、平面視位置（挿抜方向から見た位置）が他方側光コネクタ２とは異なる。図１（ａ）および図１（ｂ）では、一方側光コネクタ１は筐体３の中央よりやや左寄りの位置にあり、他方側光コネクタ２は筐体３の中央よりやや右寄りの位置にある。
【００１４】
図１（ｂ）に示すように、筐体３の前面３ａ側には、嵌合凹部３ｃ（筐体位置決め部）が形成されている。
嵌合凹部３ｃは、相手側基板５１の設置面５１ａに設けられた嵌合凸部５３が嵌合することによって、筐体３を相手側基板５１に対し位置決めすることができる。
【００１５】
図１（ｂ）に示すように、中継用光ファイバ４は、概略Ｓ字状に配線するのが好ましい。
具体的には、中継用光ファイバ４は、一方側光コネクタ１に接続された位置から中間点４ｃ（変曲点）までの部分である一方側湾曲部４ａと、中間点４ｃから他方側光コネクタ２に接続された位置までの部分である他方側湾曲部４ｂとを有する形状とするＳ字状とすることが好ましい。
【００１６】
一方側湾曲部４ａは前方（図１（ｂ）の下方）に凸となるように湾曲しており、他方側湾曲部４ｂは後方（図１（ｂ）の上方）に凸となるように湾曲している。湾曲部４ａ、４ｂは例えば概略円弧状であり、その曲率は中継用光ファイバ４の光特性に影響が及ばない程度とされる。
中継用光ファイバ４は、湾曲部４ａ、４ｂを有するＳ字状に配線されているため、湾曲部４ａ、４ｂで十分な余長が確保されることから、他方側光コネクタ２が前後方向に移動しても中継用光ファイバ４には局所的な曲げが加えられるのを回避できる。
【００１７】
中継用光接続箱１０が設置される相手側基板５１には受け側光コネクタ５２が設けられている。受け側光コネクタ５２は、他方側光線路２２の端末に設けられている。
なお、図１（ｂ）は、中継用光接続箱１０が相手側基板５１に設置される直前の状態を示す。
【００１８】
次に、中継用光接続ユニット１０の使用方法の概要について説明する。
（第１段階）
図１（ｂ）に示すように、中継用光接続ユニット１０を下方（前方）移動し、相手側基板５１の設置面５１ａに設置する。
この際、筐体３の嵌合凹部３ｃに、相手側基板５１の嵌合凸部５３を嵌合させる。これによって、中継用光接続ユニット１０は相手側基板５１に沿う方向の移動（側方移動）が規制され、相手側基板５１に対して大まかに平面視位置が定められる。
嵌合凹部３ｃに嵌合凸部５３を嵌合させることによる中継用光接続ユニット１０の位置決めを「第１位置決め」という。
【００１９】
（第２段階）
可動保持体５を受け側光コネクタ５２に向けて下降させる。可動保持体５には複数の他方側光コネクタ２（２Ａ、２Ｂ）が一括保持されているため、可動保持体５の下降に伴って他方側光コネクタ２Ａ、２Ｂも下降する。
後述するように、この際、可動保持体５から突出するガイドバー５０（図３（ａ）および図３（ｂ）参照）が、相手側基板５１に形成されたガイド孔５４に挿通することによって、可動保持体５の側方移動が規制される。
これによって、他方側光コネクタ２を、対応する受け側光コネクタ５２に嵌合可能な位置に配置することができる。
ガイドバー５０がガイド孔５４に挿通することによる可動保持体５および他方側光コネクタ２の位置決めを「第２位置決め」という。
【００２０】
（第３段階）
他方側光コネクタ２の光コネクタ本体１１の先端部１１ａを受け側光コネクタ５２の入口部に挿入させる。
この際、必要に応じて、操作体１２を把持して光コネクタ本体１１を前進させることによって、その先端部１１ａを挿通口５８の入口部に挿入させることができる。
先端部１１ａが挿通口５８の入口部に挿入することによって、光コネクタ本体１１は側方移動が規制され、受け側光コネクタ５２に対する光コネクタ本体１１の平面視位置は規定される。
この受け側光コネクタ５２に対する光コネクタ本体１１の位置決めを「第３位置決め」という。
【００２１】
（第４段階）
光コネクタ本体１１をさらに前進させると、光コネクタ本体１１の先端部１１ａは受け側光コネクタ５２に深く挿入され、受け側光コネクタ５２に完全に嵌合する。
後述するように、この際、フェルール１６の接合端面１６ａ（図１０（ａ）〜図１０（ｃ）参照）が受け側光コネクタ５２内の接続端面６１ａに突き合わせされるとともに、接続端面６１ａに形成された一対のガイドピン６１ｂが、それぞれフェルール１６のガイドピン穴１６ｂに挿入される。
これによって、他方側光コネクタ２は受け側光コネクタ５２に対して正確に位置決めされるとともに、他方側光コネクタ２と受け側光コネクタ５２とが光接続される。
この受け側光コネクタ５２に対する他方側光コネクタ２の位置決めを「第４位置決め」という。
【００２２】
次に、図２（ａ）〜図１０を参照しつつ、中継用光接続箱１０を詳細に説明する。
図２（ａ）、図２（ｂ）、図３（ａ）、図３（ｂ）に示すように、中継用光接続ユニット１０は、一方側光線路２１が接続される複数の一方側光コネクタ１と、他方側光線路２２が接続される複数の他方側光コネクタ２と、複数の他方側光コネクタ２を一括して保持する可動保持体５と、一方側光コネクタ１と他方側光コネクタ２とを光接続する中継用光ファイバ４と、これらが設けられた筐体３と、を有する。
【００２３】
図２（ａ）および図２（ｂ）に示すように、筐体３は、略直方体の箱状に形成されている。具体的には、矩形の底板３１と、底板３１の側縁部３１ａに立設された側板３２と、底板３１の端縁部３１ｂに立設された端板３３と、側板３２および端板３３の上縁部３２ａ、３３ａに設けられた上板３４とを有する。
以下、図２（ａ）等に示すＸＹＺ直交座標系を参照しつつ構造説明を行うことがある。Ｘ方向は底板３１の側縁部３１ａの延在方向であって、底板３１の長手方向である。Ｙ方向は底板３１に平行な面内でＸ方向に直交する方向であって、端縁部３１ｂの延在方向である。Ｚ方向はＸ方向およびＹ方向と直交する高さ方向である。
【００２４】
図２（ｂ）に示すように、底板３１には、他方側光コネクタ２が挿通する挿通口部３８が形成されている。
挿通口部３８は、他方側光コネクタ２に即した位置に形成されている。挿通口部３８は、挿通口部３８は、平面視においてすべての他方側光コネクタ２を一括して囲む形状としてよい。図示例の挿通口部３８は長手方向がＸ方向に沿う長方形であって、２つの他方側光コネクタ２を一括して囲む形状である。
【００２５】
図２（ｂ）に示すように、筐体３の底板３１には、嵌合凹部３ｃが形成されている。嵌合凹部３ｃは、筐体３の前面３ａ側に形成された凹部または開口部であって、相手側基板５１の設置面５１ａに設けられた嵌合凸部５３（図３（ａ）参照）が嵌合可能である。
図示例では、嵌合凹部３ｃは、底板３１に形成された平面視円形の開口部である。
嵌合凹部３ｃの内径は、嵌合凸部５３（主部５３ａ）の外径とほぼ同じまたはこれよりやや大きいことが好ましい。これによって、嵌合凸部５３が嵌合した時に筐体３の側方移動を規制できる。
【００２６】
図３（ａ）に示す嵌合凸部５３は、相手側基板５１の設置面５１ａから上方（Ｚ方向）に突出する円筒状の主部５３ａと、主部５３ａの先端から突出方向に徐々に縮径する略円錐形の先端部５３ｂとを有する。
先端部５３ｂは突出方向に徐々に縮径する形状であるため、嵌合凸部５３が嵌合凹部３ｃに嵌合する際に、嵌合凸部５３の平面視位置が嵌合凹部３ｃに対してずれている場合でも、先端部５３ｂの外面の傾斜に沿って筐体３を正しい位置に導くことができる。
【００２７】
中継用光接続ユニット１０では、筐体３の嵌合凹部３ｃ（筐体位置決め部）と、相手側基板５１の嵌合凸部５３とが嵌合する構造が採用されているが、逆に、筐体３に形成された嵌合凸部（筐体位置決め部）と、相手側基板５１に形成された嵌合凹部とが嵌合することによって、可動保持体５が所定位置に配置される構造を採用してもよい。
筐体３の位置決め構造としては、相手側基板５１との間で凹凸嵌合する構造に限らず、接着、吸着、その他の位置決め構造を採用してもよい。
【００２８】
図示例の筐体３は、箱状に形成されているが、一方側光コネクタ１、他方側光コネクタ２、可動保持体５、および中継用光ファイバ４を保持することができれば、その構造は箱状に限定されない。例えば、底板３１と、上板３４と、これらを連結する柱状体とを有する構造体であってもよい。
【００２９】
図４〜図６に示すように、他方側光コネクタ２は、光コネクタプラグである光コネクタ本体１１と、光コネクタ本体１１から後方に延出する操作体１２とを有し、受け側光コネクタ５２に対して接近および離間する方向に移動可能である。
【００３０】
光コネクタ本体１１は、コネクタ主部１３と、コネクタ主部１３に対し前後に移動可能なカップリング１４と、を備えている。
光コネクタ本体１１には、ＭＰＯ形光コネクタ（ＪＩＳ  Ｃ５９８２に制定されるＦ１３形光コネクタ。ＭＰＯ:Multi-fiber Push On）の構造を採用することができる。
【００３１】
図５および図６に示すように、コネクタ主部１３は、光ファイバ４２の先端に取り付けられたフェルール１６と、フェルール１６の後側に設けられたスプリング受け１７と、フェルール１６を前方に弾性付勢するスプリング１８（例えばコイルスプリング）と、スプリング１８の後端が当接する当接部材１９と、これらを収納する筒状のハウジング２０と、ハウジング２０の後部に設けられる後部部材２５とを備えている。
【００３２】
フェルール１６は、例えばＭＴ形光コネクタなどの多心光コネクタであって、前面が接合端面１６ａとされている。フェルール１６にはガイドピン（図示略）が挿入されるガイドピン穴１６ｂが形成されている。
スプリング１８は、当接部材１９に反力をとって、スプリング受け１７を介してフェルール１６を前方に付勢することができる。
【００３３】
ハウジング２０の外側面には、係合突部２０ａが形成され、係合突部２０ａの後方側は、後述する受け側光コネクタ５２のラッチ６０のラッチ凸部６０ａが係合する係合凹所２０ｂとなっている。
【００３４】
後部部材２５は、両側方に開口した挿通凹部２６ａを有する本体部２６と、本体部２６から後方に延出する延出部２７と、を備えている。
図５および図６に示すように、挿通凹部２６ａは、本体部２６内の光ファイバ４２（中継用光ファイバ４）を外側方（Ｙ方向）に向けて導出することができる。
光ファイバ４２（中継用光ファイバ４）を外側方に向けることによって、中継用光ファイバ４を比較的短い経路で一方側光コネクタ１に向けて配線することができるため、筐体３内の中継用光ファイバ４の配線スペースを小さくできる。
なお、光ファイバ４２（中継用光ファイバ４）は、２つの挿通凹部２６ａのうちいずれを通して外方に導出してもよい。
本体部２６は、凹凸嵌合等によりハウジング２０の後端部に取り付けられる。
【００３５】
延出部２７には、スプリング２８が外挿される。延出部２７およびこれに外挿されたスプリング２８は、操作体１２の挿通孔１２ａに挿入される。
スプリング２８は、可動保持体５の基部４３の上面４３ａに反力をとって、他方側光コネクタ２を後方に付勢することができる（図４参照）。
【００３６】
カップリング１４は、ハウジング２０に対して前後にスライド移動可能とされており、後方にスライド移動することによって、ハウジング２０に対する受け側光コネクタ５２のラッチ６０の係合を解除可能である。
カップリング１４の両側面には、可動保持体５の係合凹部４６、４７の内縁に係合可能な係合凸部２９が形成されている。
【００３７】
光ファイバ４２としては、特に限定されないが、４心、８心、１２心等の光ファイバテープ心線などの多心光ファイバを例示できる。光ファイバ４２としては、積層された複数の光ファイバテープ心線を用いてもよい。
【００３８】
光コネクタ本体１１は、少なくとも最も後方に位置するときには筐体３から突出せず、前進時には筐体３の前面３ａから挿通口部３８を通して前方に突出して受け側光コネクタ５２に挿抜可能に接続できるように構成することが好適である。
光コネクタ本体１１は、前後方向の移動によって筐体３の前面３ａ（他方の面）から出没自在である構造としてよい。
【００３９】
他方側光コネクタ２は、受け側光コネクタ５２に嵌合せず且つ操作体１２を操作されない状態では、スプリング２８によって後方に位置し、この位置では筐体３外面から突出しないことが好ましい。
これによって、相手側基板５１に対する中継用光接続箱１０の着脱操作において、光コネクタ本体１１が破損する事故を回避できる。
なお、光コネクタ本体１１は、先端部が全ての過程で筐体３から出ない構造を採用してもよい。この場合には、受け側光コネクタ５２に対する嵌合は筐体３内で行われる。
【００４０】
図６に示すように、操作体１２は、光コネクタ本体１１とは別体であり、円筒状に形成されている。
図４に示すように、挿通孔１２ａの内面に形成された段部１２ｂには、スプリング２８の端部２８ａが係合可能である。
【００４１】
操作体１２は、作業者が把持して操作することによって、光コネクタ本体１１を前進および進退させることができる。
操作体１２の先端部の外周面には、滑り止め用の凹凸部１２ｃを形成することによって、作業者が操作体１２を把持して他方側光コネクタ２を操作する際の作業を容易にすることができる。図示例の凹凸部１２ｃは、周方向に沿う複数の環状凹部および環状凸部からなる。
操作体１２は、筐体３の上板３４に形成された挿通穴３４ｃ（図２（ａ）参照）を通して後面３ｂ（一方の面）から外方に突出している。
【００４２】
図２（ａ）および図２（ｂ）に示すように、この例では他方側光コネクタ２の数は２であり、２つの他方側光コネクタ２のうち一方を他方側光コネクタ２Ａといい、他方を他方側光コネクタ２Ｂということがある。
２つの他方側光コネクタ２（２Ａ、２Ｂ）は、Ｘ方向に離れて設置されている。
なお、他方側光コネクタ２の数は２に限らず、３以上であってもよい。
【００４３】
図３（ａ）および図３（ｂ）に示すように、可動保持体５は、基部４３と、その上面４３ａ（後面）に立設された一対の側壁部４４と、側壁部４４の端部に設けられた上壁部４５とを有する。
基部４３は直方体状とされ、長手方向をＸ方向に向けて設置されている。
基部４３の上板４３ｅと、その両側縁から垂下する側板部４３ｂ、４３ｃとによって囲まれた内部空間４１には、他方側光コネクタ２（２Ａ、２Ｂ）の光コネクタ本体１１の上部が収容されている。
内部空間４１内の光コネクタ本体１１は、スプリング２８により上方に付勢されているため、後部部材２５が上板４３ｅに押し当てられた状態で内部空間４１内に位置決めされている。
【００４４】
基部４３の一方の側板部４３ｂには、高さ方向（Ｚ方向）に延在する長円形の係合凹部４６が形成され、他方の側板部４３ｃには、高さ方向（Ｚ方向）に延在する係合凹部４７が形成されている。
係合凹部４６、４７の高さ方向寸法は、カップリング１４の係合凸部２９の前後方向寸法より大きくされており、これによって他方側光コネクタ２は、係合凸部２９が係合凹部４６、４７内に入った状態で可動保持体５に対し相対的に前後に移動可能となっている。
【００４５】
図４に示すように、基部４３の両端部には、それぞれ位置決め孔４８が形成されている。位置決め孔４８は、高さ方向（Ｚ方向）に沿って基部４３を貫通して形成されている。
位置決め孔４８には、筐体３内に形成された、高さ方向に沿う位置決めバー３５が挿通可能である。
基部４３には、位置決め孔４８、４８よりやや内方寄りに、それぞれ嵌合孔４９、４９が形成されている。一対の嵌合孔４９、４９はＸ方向に間隔をおいて形成されている。
嵌合孔４９、４９には、相手側基板５１に対して可動保持体５を位置決めするガイドバー５０（可動保持体位置決め部）の基端部が嵌合している。ガイドバー５０は、基部４３の下面４３ｄから下方（前方）に向けて突出している。
図３（ａ）および図３（ｂ）に示すように、ガイドバー５０は、相手側基板５１に形成されたガイド孔５４に挿通することによって、可動保持体５の側方移動を規制できる。
なお、位置決めバー３５は、底板３１に対し垂直とされ、筐体３に固定されている。
【００４６】
可動保持体５は、２つの他方側光コネクタ２（２Ａ、２Ｂ）を一括して保持したまま、受け側光コネクタ５２に接近および離間する方向（上下方向）に移動可能である。
【００４７】
一対の側壁部４４は、Ｘ方向に間隔をおいて形成されている。
上壁部４５には、操作体１２が挿通する貫通孔４５ａが形成されている（図４参照）。
【００４８】
図３（ａ）および図３（ｂ）に示すように、一方側光コネクタ１は、例えば光コネクタレセプタクル、光コネクタアダプタ等である。
図示例の一方側光コネクタ１は、光コネクタレセプタクルであって、一方側光線路２１の光コネクタ（例えばＭＰＯ形光コネクタ。図示略）が挿入される挿通口５８を有する筒状の本体部５９に、一対のラッチ６０が形成されている。ラッチ６０の先端部内面には、内方に突出するラッチ凸部６０ａが形成されている。
【００４９】
一方側光コネクタ１は、挿通口５８を外方（上方）に向けて上板３４に設けられている。
この例では一方側光コネクタ１の数は２であり、２つの一方側光コネクタ１のうち一方を一方側光コネクタ１Ａといい、他方を一方側光コネクタ１Ｂということがある。
２つの一方側光コネクタ１（１Ａ、１Ｂ）は、Ｘ方向に離れて設置されている。
なお、一方側光コネクタ１の数は２に限らず、１または３以上であってもよい。
【００５０】
この例では、一方側光コネクタ１は、他方側光コネクタ２および可動保持体５に対し、Ｙ方向に離れた位置に設置されている。
２つの一方側光コネクタ１（１Ａ、１Ｂ）は、互いにＸ方向に離れて設置され、２つの他方側光コネクタ２（２Ａ、２Ｂ）も、互いにＸ方向に離れて設置されている。
このため、平面視において、一方側光コネクタ１と他方側光コネクタ２との位置はいずれの組み合わせにおいても異なる。
よって、各光コネクタ１、２の周囲に中継用光ファイバ４の配線のための十分な空間を確保できる。よって、筐体３の高さ寸法が小さくても中継用光ファイバ４に無理な力が加えられることはないことから、中継用光接続ユニット１０の小型化が可能である。
【００５１】
中継用光ファイバ４は、例えば光ファイバ素線、光ファイバ心線などである。
中継用光ファイバ４は、一方の端末が複数の一方側光コネクタ１のいずれか１つに設けられ、他方の端末が複数の他方側光コネクタ２のいずれか１つにそれぞれ設けられ、これによって一方側光コネクタ１と他方側光コネクタ２とを筐体３内で互いに光接続する。
中継用光ファイバ４は、その目的に応じて、任意の一方側光コネクタ１と任意の他方側光コネクタ２とを接続することができる。
例えば、２つの一方側光コネクタ１のうち１または２は、中継用光ファイバ４を介して、２つの他方側光コネクタ２のうち１または２に接続することができる。
図１（ａ）では、２つの一方側光コネクタ１は、いずれも、中継用光ファイバ４を介して２つの他方側光コネクタ２の両方に接続されている。
【００５２】
図１（ｂ）および図３（ｂ）に示すように、他方側光コネクタ２が受け側光コネクタ５２に対して移動可能であることから、中継用光ファイバ４は、概略Ｓ字状に配線するのが好ましい。
具体的には、中継用光ファイバ４は、一方側光コネクタ１に接続された位置から中間点４ｃ（変曲点）までの部分である一方側湾曲部４ａと、中間点４ｃから他方側光コネクタ２に接続された位置までの部分である他方側湾曲部４ｂとを有する形状とするＳ字状とすることが好ましい。
【００５３】
一方側湾曲部４ａは前方（図３（ｂ）の下方）に凸となるように湾曲しており、他方側湾曲部４ｂは一方側湾曲部４ａとは異なる方向に凸となるように湾曲している。湾曲部４ａ、４ｂは例えば概略円弧状であり、その曲率は中継用光ファイバ４の光特性に影響が及ばない程度とされる。
中継用光ファイバ４は、湾曲部４ａ、４ｂを有するＳ字状に配線されているため、湾曲部４ａ、４ｂで十分な余長が確保されることから、他方側光コネクタ２が前後方向に移動しても中継用光ファイバ４には局所的な曲げが加えられるのを回避できる。
中継用光ファイバ４は、基部４３の係合凹部４７を通過して配線されている。
【００５４】
図３（ａ）に示すように、受け側光コネクタ５２は、例えば光コネクタレセプタクル、光コネクタアダプタ等である。
図示例の受け側光コネクタ５２は、光コネクタレセプタクルであって、他方側光コネクタ２の光コネクタ本体１１が挿入される挿通口５８を有する筒状の本体部５９に、一対のラッチ６０が形成されている。ラッチ６０の先端部内面には、内方に突出するラッチ凸部６０ａが形成されている。
【００５５】
受け側光コネクタ５２は、他方側光コネクタ２に応じた位置に設けられている。図示例では、Ｘ方向に並べられた２つの受け側光コネクタ５２（５２Ａ、５２Ｂ）が、それぞれ他方側光コネクタ２（２Ａ、２Ｂ）が嵌合可能な位置に設けられている。
【００５６】
次に、中継用光接続ユニット１０の使用方法について、図７〜図９を参照しつつ説明する。
（第１段階）
図７（ａ）に示すように、中継用光接続ユニット１０を下方（前方）に移動し、相手側基板５１の設置面５１ａに設置する。
この際、図２（ｂ）および図３（ａ）に示すように、筐体３の嵌合凹部３ｃに、相手側基板５１の嵌合凸部５３を嵌合させる。これによって、中継用光接続ユニット１０は相手側基板５１に沿う方向（例えば図７（ａ）の左右および紙面に垂直な方向）の移動（側方移動）が規制され、相手側基板５１に対して大まかに位置決めされる。
嵌合凹部３ｃに嵌合凸部５３を嵌合させることによる中継用光接続ユニット１０の位置決めを「第１位置決め」という。
第１位置決めにより筐体３を位置決めすることによって、可動保持体５を、ガイドバー５０により位置決め可能な位置に配置することができる。
【００５７】
（第２段階）
図７（ｂ）に示すように、可動保持体５を相手側基板５１（受け側光コネクタ５２）に向けて下降させる。
この際、図３（ａ）および図３（ｂ）に示すように、可動保持体５から突出するガイドバー５０が、相手側基板５１のガイド孔５４に挿通することによって、可動保持体５および他方側光コネクタ２の側方移動が規制されるとともに、可動保持体５の直立姿勢が維持される。
他方側光コネクタ２の側方移動が規制されることによって、他方側光コネクタ２を、対応する受け側光コネクタ５２に嵌合可能な位置に配置することができる。
ガイドバー５０がガイド孔５４に挿通することによる可動保持体５および他方側光コネクタ２の位置決めを「第２位置決め」という。
【００５８】
可動保持体５には複数の他方側光コネクタ２（２Ａ、２Ｂ）が一括保持されているため、可動保持体５の下降に伴って他方側光コネクタ２Ａ、２Ｂも下降する。
詳しくは、可動保持体５を下降させることによって、基部４３の係合凹部４６、４７の内縁が係合凸部２９を下方に押圧するとともに、基部４３の上板４３ｅ（図４参照）が光コネクタ本体１１を下方に押圧するため、他方側光コネクタ２は下方移動する。
可動保持体５は、他方側光コネクタ２（２Ａ、２Ｂ）が受け側光コネクタ５２に達するまで下降する。
【００５９】
また、位置決め孔４８（図４参照）に、筐体３内に形成された位置決めバー３５（案内部）が挿通することによって、可動保持体５の側方移動が規制される。
このため、他方側光コネクタ２は、平面視位置がずれることなく受け側光コネクタ５２に導かれる。
受け側光コネクタ５２に当接した他方側光コネクタ２は、それ以上の下方移動が阻止されるとともに、側方移動も起こりにくくなる。すなわち、受け側光コネクタ５２によって移動規制される。
【００６０】
（第３段階）
図９（ａ）に示すように、他方側光コネクタ２を下降させることによって、他方側光コネクタ２の光コネクタ本体１１の先端部１１ａは受け側光コネクタ５２の挿通口５８の入口部５８ａに挿入される。
この際、必要に応じて、操作体１２を把持して光コネクタ本体１１を前進させることによって、先端部１１ａを挿通口５８の入口部５８ａ内に配置することができる。
【００６１】
他方側光コネクタ２を前進させる際には、すべての他方側光コネクタ２を一括して操作してもよいが、一部の他方側光コネクタ２のみを操作してもよい。
この位置では、先端部１１ａが挿通口５８の入口部５８ａ内に配置されるため、光コネクタ本体１１の側方移動が規制される。このため、受け側光コネクタ５２に対する光コネクタ本体１１の平面視位置が規定される。
この受け側光コネクタ５２に対する光コネクタ本体１１の位置決めを「第３位置決め」という。
【００６２】
（第４段階）
図７（ｃ）および図８（ａ）に示すように、他方側光コネクタ２を下方（前方）に押圧し、光コネクタ本体１１の先端部１１ａを受け側光コネクタ５２の挿通口５８に深く挿入させる。
図３（ａ）および図３（ｂ）に示すように、他方側光コネクタ２の係合凸部２９は、係合凹部４６、４７内に入った状態で可動保持体５に対し上下に移動可能であるため、可動保持体５の高さ位置が変わらなくても、他方側光コネクタ２は前進することができる。
この例では、２つの他方側光コネクタ２を１つずつ前進させている。すなわち、図７（ｃ）は、２つの他方側光コネクタ２のうち他方側光コネクタ２Ａのみを前進させており、図８（ａ）では、続いて他方側光コネクタ２Ｂを前進させている。
【００６３】
図７（ｃ）および図８（ａ）に示す例では、他方側光コネクタ２を前進させるにあたり、他方側光コネクタ２を１つずつ操作しているが、可動保持体５を下降させることにより、すべての他方側光コネクタ２を一括して操作してもよい。
例えば、図９（ａ）に示す未嵌合状態から、図９（ｂ）に示すように、可動保持体５を下降させて光コネクタ本体１１の先端部１１ａを受け側光コネクタ５２の挿通口５８の入口部に挿入した後に、図９（ｃ）に示すように、可動保持体５をさらに下降させることにより、すべての他方側光コネクタ２を一括して挿通口５８に深く挿入させてもよい。
【００６４】
図１０（ｂ）に示すように、光コネクタ本体１１の前方移動によってハウジング２０の係合突部２０ａはラッチ６０を外方（ラッチ６０どうしの距離が大きくなる方向）に変位させる。変位したラッチ６０はカップリング１４の前進を規制する。
【００６５】
図１０（ｃ）に示すように、カップリング１４の前進が規制される一方、ハウジング２０は前方移動するため、係合凹所２０ｂが露出し、ラッチ６０は内方変位するとともにラッチ凸部６０ａが係合凹所２０ｂに係合する。
ラッチ６０の内方変位によってカップリング１４の前進規制が解除されるため、カップリング１４は、カップリング１４内のスプリング（図示略）の弾性力により前進する。
図１０（ｃ）は、受け側光コネクタ５２への他方側光コネクタ２の嵌合が完了した状態を示す。
【００６６】
この位置では、フェルール１６の接合端面１６ａは受け側光コネクタ５２内の接続端面６１ａに突き合わせされるとともに、接続端面６１ａに形成された一対のガイドピン６１ｂが、それぞれフェルール１６のガイドピン穴１６ｂに挿入される。これによって、フェルール１６は受け側光コネクタ５２に対して高精度に位置決めされる。
この受け側光コネクタ５２に対する他方側光コネクタ２の位置決めを「第４位置決め」という。
【００６７】
なお、各他方側光コネクタ２は互いに独立に動作できるため、複数の他方側光コネクタ２のうち必要なもののみを受け側光コネクタ５２に嵌合させることもできる。
【００６８】
（他方側光コネクタ２の受け側光コネクタ５２からの取り外し）
他方側光コネクタ２の受け側光コネクタ５２からの取り外しは、次のようにして行うことができる。
図８（ｂ）に示すように、可動保持体５を上方に持ち上げると、係合凹部４６、４７の内縁によってカップリング１４の係合凸部２９に上方への力が加えられることによって、すべての他方側光コネクタ２のカップリング１４は上方に移動する。
【００６９】
図１０（ｂ）に示すように、カップリング１４の上方移動によって、ハウジング２０の係合凹所２０ｂが露出し、ラッチ６０は外方変位可能な状態となる。
カップリング１４をさらに上方移動させると、係合突部２０ａがラッチ６０を外方に変位させ、係合凹所２０ｂに対するラッチ凸部６０ａの係合が解除される。
操作体１２をさらに上方に引張ると、他方側光コネクタ２が受け側光コネクタ５２から引き抜かれる。
【００７０】
図８（ｃ）に示すように、受け側光コネクタ５２からの拘束が解除されることによって、他方側光コネクタ２は上下動可能な状態となるためスプリング２８の付勢力により上昇し、図７（ａ）に示すように、光コネクタ本体１１が筐体３内に収容された状態に戻る。
【００７１】
中継用光接続ユニット１０は、筐体３内において、中継用光ファイバ４によって一方側光コネクタ１と他方側光コネクタ２とが接続された構造を有する。
このため、予め、用途に応じて光コネクタ１、２が互いに接続された中継用光接続ユニット１０を用意しておけば、複雑な光配線が要求される場合でも、中継用光接続ユニット１０を相手側基板５１に設置するという容易な操作で、その用途に最適な光配線を構築できる。
よって、多数の光ファイバを用いた複雑な光配線を、容易かつ確実に構築することができる。
また、中継用光接続箱１０は、複数の他方側光コネクタ２を一括して保持する可動保持体５を有することから、これら複数の他方側光コネクタ２を簡単な操作で一括して受け側光コネクタ５２に対し挿入および抜出することができる。
【００７２】
また、中継用光接続ユニット１０では、設置にあたって、４段階の位置決めを経ることによって、他方側光コネクタ２を受け側光コネクタ５２に対して確実かつ正確に嵌合させることができる。
すなわち、第１段階で嵌合凹部３ｃと嵌合凸部５３とを嵌合させて相手側基板５１上での筐体３の位置を大まかに定めた後、第２段階でガイドバー５０により可動保持体５の位置を定め、第３段階で受け側光コネクタ５２に対する他方側光コネクタ２の位置を規定し、次いで、第４段階で他方側光コネクタ２を操作することで、その位置を完全に確定するという過程を経て、他方側光コネクタ２を受け側光コネクタ５２に導くことができる。
これによって、他方側光コネクタ２の位置にずれが生じた場合でもこのずれを確実に修正し、他方側光コネクタ２を正しい位置に導き、受け側光コネクタ５２に対して確実かつ正確に嵌合させることができる。
よって、光配線を高い信頼性をもって構築できる。
【００７３】
図１１および図１２は、他方側光コネクタの他の例である他方側光コネクタ７２を示す。他方側光コネクタ７２は、他方側光コネクタ２に代えて用いることができる。
他方側光コネクタ７２は、光コネクタプラグである光コネクタ本体８１と、光コネクタ本体８１から延出する操作部８２とを有し、受け側光コネクタ５２に対して接近および離間する方向に移動可能である。
【００７４】
光コネクタ本体８１は、コネクタ主部８３と、コネクタ主部８３に対し前後に移動可能なカップリング８４と、コネクタ主部８３の後方に設けられたカップリング係合部材８５と、を備えている。
光コネクタ本体８１には、ＭＰＯ形光コネクタ（ＪＩＳ  Ｃ５９８２に制定されるＦ１３形光コネクタ。ＭＰＯ:Multi-fiber Push On）の構造を採用することができる。
【００７５】
コネクタ主部８３は、光ファイバ４２の先端に取り付けられたフェルール８６と、フェルール８６の後側に設けられたスプリング受け８７と、フェルール８６を前方に弾性付勢するスプリング８８（例えばコイルスプリング）と、スプリング８８の後端が当接する当接部材８９と、これらを収納する筒状のハウジング９０とを備えている。
フェルール８６は、例えばＭＴ形光コネクタなどの多心光コネクタであって、前面が接合端面８６ａとされている。フェルール８６にはガイドピン（図示略）が挿入されるガイドピン穴８６ｂが形成されている。
スプリング８８は、当接部材８９に反力をとって、スプリング受け８７を介してフェルール８６を前方に付勢することができる。
【００７６】
ハウジング９０の外側面には、係合突部９０ａが形成され、係合突部９０ａの後方側は、受け側光コネクタ５２のラッチ６０のラッチ凸部６０ａが係合する係合凹所９０ｂとなっている。
【００７７】
カップリング８４は、ハウジング９０に対して前後にスライド移動可能とされており、後方にスライド移動することによって、ハウジング９０に対する受け側光コネクタ５２のラッチ６０の係合を解除可能である。
カップリング８４の両側面には、係合凹部９８の内縁に係合可能な係合凸部９９が形成されている。
【００７８】
カップリング係合部材８５は、本体部９６と、本体部９６から前方に延出する一対の延出部９７とを備えており、コネクタ本体８３およびカップリング８４に対し前後に移動可能とされている。
本体部９６は、底板部９６ａと、その両側縁に設けられた側板部９６ｂと、底板部９６ａの後縁に設けられた後板部９６ｃとを備えている。
【００７９】
図１１に示すように、両側板部９６ｂには、それぞれ挿通凹部９６ｄ（挿通部）が形成されている。
挿通凹部９６ｄは、本体部９６内の光ファイバ４２（中継用光ファイバ４）を外側方（Ｙ方向）に向けて導出することができる。
光ファイバ４２（中継用光ファイバ４）を外側方に向けることによって、中継用光ファイバ４を比較的短い経路で一方側光コネクタ１に向けて配線することができるため、筐体３内の中継用光ファイバ４の配線スペースを小さくできる。
なお、光ファイバ４２（中継用光ファイバ４）は、２つの挿通凹部９６ｄのうちいずれを通して外方に導出してもよい。
底板部９６ａおよび側板部９６ｂは、ハウジング９０の後端部９０ｃに当接してハウジング９０を前方に押圧できる。
【００８０】
延出部９７は、長板状に形成され、一方の側縁部９７ａには係合凹部９８が形成されている。係合凹部９８の前後方向寸法は、カップリング８４の係合凸部９９の前後方向寸法より大きくされており、これによって係合凹部９８内に係合凸部９９が入った状態でカップリング係合部材８５がカップリング８４に対し相対的に前後に移動可能となっている。
【００８１】
次に、図１０〜図１２を参照して、他方側光コネクタ７２を用いた場合における受け側光コネクタ５２に対する挿入および抜出操作について説明する。なお、図７〜図９等を参照して他方側光コネクタ２を用いた場合について説明した操作については省略する。
（第１段階）
中継用光接続ユニット１０を相手側基板５１の設置面５１ａに設置する。この際、嵌合凸部５を相手側基板５１の嵌合凹部５３に嵌合させる。
【００８２】
（第２段階）
可動保持体５を相手側基板５１（受け側光コネクタ５２）に向けて下降（前進）させるとともに、ガイドバー５０を、相手側基板５１のガイド孔５４に挿通させることによって可動保持体５を位置決めし、他方側光コネクタ７２を、受け側光コネクタ５２に嵌合可能な位置に配置することができる。
【００８３】
（第３段階）
他方側光コネクタ７２をさらに下降（前進）させると、光コネクタ本体８１の先端部８１ａは受け側光コネクタ５２の挿通口５８の入口部に挿入される。
【００８４】
（第４段階）
他方側光コネクタ７２をさらに下方（前方）に押圧すると、その押圧力はカップリング係合部材８５に伝えられ、本体部９６の前端（例えば底板部９６ａおよび側板部９６ｂの前端）は、ハウジング９０の後端部９０ｃに当接してハウジング９０を前方に押圧する。これによって、光コネクタ本体８１は前方に移動し、先端部８１ａは受け側光コネクタ５２に深く挿入される。
光コネクタ本体８１の前方移動によってハウジング９０の係合突部９０ａがラッチ６０を外方（ラッチ６０どうしの距離が大きくなる方向）に変位させる。変位したラッチ６０はカップリング８４の前進を規制する。
【００８５】
カップリング８４の前進が規制される一方、ハウジング９０は前方移動するため、係合凹所９０ｂが露出し、ラッチ６０は内方変位するとともにラッチ凸部６０ａが係合凹所９０ｂに係合する。
ラッチ６０の内方変位によってカップリング８４の前進規制が解除されるため、カップリング８４は、カップリング８４内のスプリング（図示略）の弾性力により前進する。
これによって、受け側光コネクタ５２への他方側光コネクタ７２の嵌合は完了する。
【００８６】
（他方側光コネクタ２の受け側光コネクタ５２からの取り外し）
操作部８２を把持して後方に引っ張ると、その引張力はカップリング係合部材８５に伝えられ、延出部９７に形成された係合凹部９８の前縁９８ａがカップリング８４の係合凸部９９に後方への力を加えることによって、カップリング８４は後方に移動する。
カップリング８４の後方移動によって、ハウジング９０の係合凹所９０ｂが露出し、ラッチ６０は外方変位可能な状態となる。
カップリング８４をさらに後方移動させると、カップリング８４内のスプリング（図示略）によって光コネクタ本体８１に後方への力が加えられ、光コネクタ本体８１も後方移動し始め、係合突部９０ａがラッチ６０を外方に変位させ、係合凹所９０ｂに対するラッチ凸部６０ａの係合が解除される。
操作部８２をさらに後方に引っ張ると、カップリング係合部材８５がハウジング９０から離間するとともに、他方側光コネクタ２が受け側光コネクタ５２から引き抜かれる。
【００８７】
以上、実施形態により本発明の詳細を説明したが、本発明は上述した実施形態に限定されるものではなく、本発明の趣旨を逸脱しない範囲において種々の変更を加えることが可能である。
例えば、図示例の筐体３は箱状であるが、筐体は、中継用光ファイバ等に外力が及ばないように保護できる構造であれば、箱状に限定されない。例えば、底板と上板とこれらを連結する柱状体からなり、底板と上板との間の空間に中継用光ファイバや他方側光コネクタを収容できる構造を採用してもよい。
他方側光コネクタの数は、２に限らず、３以上の任意の数であってもよい。この場合でも、可動保持体は、前記複数の他方側光コネクタのうち少なくとも２つの他方側光コネクタを一括保持して移動可能とする。
【符号の説明】
【００８８】
１・・・一方側光コネクタ、２、７２・・・他方側光コネクタ、３・・・筐体、３ａ・・・前面（他方の面）、３ｂ・・・後面（一方の面）、３ｃ・・・嵌合凹部（筐体位置決め部）、４・・・中継用光ファイバ、５・・・可動保持体、１０・・・中継用光接続ユニット、１１・・・光コネクタ本体、１２・・・操作体、２１・・・一方側光線路、２２・・・他方側光線路、５０・・・ガイドバー（可動保持体位置決め部）、５１・・・相手側基板（相手側ユニット）、５３・・・嵌合凸部。
【図１】
2015060126.tif 000003
【図２】
2015060126.tif 000004
【図３】
2015060126.tif 000005
【図４】
2015060126.tif 000006
【図５】
2015060126.tif 000007
【図７】
2015060126.tif 000008
【図８】
2015060126.tif 000009
【図９】
2015060126.tif 000010
【図１１】
2015060126.tif 000011
【図１２】
2015060126.tif 000012
【図６】
2015060126.tif 000013
【図１０】
2015060126.tif 000014